(57)【要約】【課題】ベルトパーティションスタンドに対して視認性に優れた表示パネルを取り付けるのに適した表示パネル取付セットを提供すること。【解決手段】本発明の表示パネル取付セットＡ１は、表示パネル２０と、表示パネル２０をベルトパーティションスタンド１０に取り付けるための取付具３０と、を備え、取付具３０は、ベルトパーティションスタンド１０のベルト収納ヘッド１３のいずれかの部位に当接する状態で当該ベルトパーティションスタンド１０に支持されており、表示パネル２０は、内側空間Ｓを有するように筒状とされており、かつベルト収納ヘッド１３が内側空間Ｓに位置する姿勢で取付具３０に取り付けられる。【選択図】図７
2018100520.tif 000002
【特許請求の範囲】
【請求項１】
表示パネルと、
上記表示パネルをベルトパーティションスタンドに取り付けるための取付具と、を備え、
上記取付具は、上記ベルトパーティションスタンドのベルト収納ヘッドのいずれかの部位に当接する状態で当該ベルトパーティションスタンドに支持されており、
上記表示パネルは、内側空間を有するように筒状とされており、かつ上記ベルト収納ヘッドが上記内側空間に位置する姿勢で上記取付具に取り付けられる、表示パネル取付セット。
【請求項２】
上記ベルトパーティションスタンドは、上端に上記ベルト収納ヘッドが着脱可能にねじ接続される支柱を備え、
上記取付具は、上記支柱の上端と上記ベルト収納ヘッドの下端との間に挟持されるプレート部を有する、請求項１に記載の表示パネル取付セット。
【請求項３】
上記取付具は、上記プレート部から起立する延出片を有し、
上記延出片は上記表示パネルの下端に嵌合する、請求項２に記載の表示パネル取付セット。
【請求項４】
上記表示パネルは、水平方向に見て上記ベルト収納ヘッドと重なる位置に形成された開口を有する、請求項１ないし３のいずれかに記載の表示パネル取付セット。
【請求項５】
上記取付具は、上記ベルト収納ヘッドの上端に取り付けられる上端プレート部と、当該上端プレート部の周縁から屈曲して実質的に垂直方向に延びる延出片と、を有し、
上記表示パネルの内側面は、上記延出片の外側面に取り付けられている、請求項１に記載の表示パネル取付セット。
【請求項６】
上記ベルト収納ヘッドは、外面に設けられた複数のベルトエンド受け部を有し、
上記取付具は、上記ベルトエンド受け部に嵌合可能な凹部と、実質的に垂直方向に延びており、上記表示パネルの内側面が取り付けられる垂直プレート部と、を有する、請求項１に記載の表示パネル取付セット。
【請求項７】
上記表示パネルは、プラスチックダンボール製の板材により構成される、請求項１ないし６のいずれかに記載の表示パネル取付セット。
【請求項８】
上記表示パネルは、平面的に折り畳まれた折り畳み姿勢、および上記内側空間を有するように展開された展開姿勢、の間で姿勢変更可能である、請求項７に記載の表示パネル取付セット。
【請求項９】
上記表示パネルの上記内側空間に配置されるとともに上記表示パネルの上端開口を塞ぐ、蓋部材をさらに備える、請求項１ないし８のいずれかに記載の表示パネル取付セット。
【発明の詳細な説明】
【技術分野】
【０００１】
本発明は、ベルトパーティションスタンドに表示パネルを支持させるための表示パネル取付セットに関する。
【背景技術】
【０００２】
従来、金融機関やイベント会場などの様々な施設において、歩行者の通路規制などを行うために、ベルトパーティションスタンドが使用されている。ベルトパーティションスタンドは、たとえば、床面に載置されるベースと、このベースから起立する支柱と、支柱の上端に設けられたベルト収納ヘッドとを備えている（たとえば、特許文献１を参照）。ベルトパーティションスタンドの使用時には複数のベルトパーティションスタンドを設置する。さらに、ベルト収納ヘッドからベルトを繰り出し、繰り出したベルトの先端は他のベルトパーティションスタンドに係止する。このようにすることで、隣接するベルトパーティションスタンドの相互間にベルトが張設され、歩行者の通路規制などを行うことができる。
【０００３】
上述のようなベルトパーティションスタンドに対し、案内表示などを目的とするパネルを取り付けて使用する場合がある。たとえば、特許文献２には、ベルトパーティションスタンドの支柱にパネル取付具を装着し、当該パネル取付具を介してパネルを支柱に取り付ける例が記載されている。特許文献２に開示されたパネル取付具は、支柱に当接させられる緩衝部材と、パネルが取り付けられるパネル取付部材とを備えている。パネル取付具の使用時には、緩衝部材が自然状態から変形しつつ支柱に押圧されており、支柱の形状が異なる場合でも取付けが可能である。また、パネル支持部材は、磁石からなるパネル固定部を有し、支柱を挟んでパネル固定部と反対側に巻かれた面ファスナー等によって支柱に固定されている。そして、上記パネル固定部にパネルを吸着保持させことにより、パネル固定部の主面と同じ方向に向けてパネルを取り付けることができる。
【０００４】
上記従来のパネル取付具において、磁石からなるパネル固定部により吸着保持されるパネルは、主に磁性材料たる金属からなる。このため、当該パネル取付具を用いて取り付けられるパネルについては、材質が制限されてしまう。また、金属製のパネルは重量も嵩む、導入コストや安全面において改善の余地があった。さらに、ベルトパーティションスタンドの支柱に装着されたパネル取付具を介してパネルが支柱に取り付けられる構成によれば、パネルの設置領域が比較的低い位置にある。このため、パネルの表示内容の視認性が比較的悪く、改善の余地があった。
【先行技術文献】
【特許文献】
【０００５】
【特許文献１】特許第３６９４７２３号公報
【特許文献２】特開２０１３−２３４４５６号公報
【発明の概要】
【発明が解決しようとする課題】
【０００６】
本発明は、このような事情のもとで考え出されたものであって、ベルトパーティションスタンドに対して視認性に優れた表示パネルを取り付けるのに適した表示パネル取付セットを提供することを主たる課題とする。
【課題を解決するための手段】
【０００７】
上記の課題を解決するため、本発明では、次の技術的手段を講じている。
【０００８】
本発明によって提供される表示パネル取付セットは、表示パネルと、上記表示パネルをベルトパーティションスタンドに取り付けるための取付具と、を備え、上記取付具は、上記ベルトパーティションスタンドのベルト収納ヘッドのいずれかの部位に当接する状態で当該ベルトパーティションスタンドに支持されており、上記表示パネルは、内側空間を有するように筒状とされており、かつ上記ベルト収納ヘッドが上記内側空間に位置する姿勢で上記取付具に取り付けられる。
【０００９】
好ましい実施の形態においては、上記ベルトパーティションスタンドは、上端に上記ベルト収納ヘッドが着脱可能にねじ接続される支柱を備え、上記取付具は、上記支柱の上端と上記ベルト収納ヘッドの下端との間に挟持されるプレート部を有する。
【００１０】
好ましい実施の形態においては、上記取付具は、上記プレート部から起立する延出片を有し、上記延出片は上記表示パネルの下端に嵌合する。
【００１１】
好ましい実施の形態においては、上記表示パネルは、水平方向に見て上記ベルト収納ヘッドと重なる位置に形成された開口を有する。
【００１２】
好ましい実施の形態においては、上記取付具は、上記ベルト収納ヘッドの上端に取り付けられる上端プレート部と、当該上端プレート部の周縁から屈曲して実質的に垂直方向に延びる延出片と、を有し、上記表示パネルの内側面は、上記延出片の外側面に取り付けられている。
【００１３】
好ましい実施の形態においては、上記ベルト収納ヘッドは、外面に設けられた複数のベルトエンド受け部を有し、上記取付具は、上記ベルトエンド受け部に嵌合可能な凹部と、実質的に垂直方向に延びており、上記表示パネルの内側面が取り付けられる垂直プレート部と、を有する。
【００１４】
好ましい実施の形態においては、上記表示パネルは、プラスチックダンボール製の板材により構成される。
【００１５】
好ましい実施の形態においては、上記表示パネルは、平面的に折り畳まれた折り畳み姿勢、および上記内側空間を有するように展開された展開姿勢、の間で姿勢変更可能である。
【００１６】
好ましい実施の形態においては、上記表示パネルの上記内側空間に配置されるとともに上記表示パネルの上端開口を塞ぐ、蓋部材をさらに備える。
【００１７】
本発明のその他の特徴および利点は、添付図面を参照して以下に行う詳細な説明によって、より明らかとなろう。
【図面の簡単な説明】
【００１８】
【図１】本発明に係る表示パネル取付セットの一例を示す斜視図である。
【図２】図１に示した表示パネル取付セットの分解斜視図である。
【図３】表示パネルの姿勢変更の態様を示す図である。
【図４】図１のＩＶ−ＩＶ線に沿う部分拡大断面図である。
【図５】本発明に係る表示パネル取付セットが用いられるベルトパーティションスタンドの一例を示す斜視図である。
【図６】図１に示した表示パネル取付セットをベルトパーティションスタンドへ取り付ける作業を説明するための斜視図である。
【図７】図１に示した表示パネル取付セットをベルトパーティションスタンドへ取り付けた状態を示す斜視図である。
【図８】本発明に係る表示パネル取付セットの他の例を示し、ベルトパーティションスタンドへ取り付ける作業を説明するための斜視図である。
【図９】図８に示した表示パネル取付セットをベルトパーティションスタンドへ取り付けた状態を示す斜視図である。
【図１０】本発明に係る表示パネル取付セットの他の例を示し、ベルトパーティションスタンドへ取り付ける作業を説明するための斜視図である。
【図１１】図１０に示した表示パネル取付セットをベルトパーティションスタンドへ取り付けた状態を示す斜視図である。
【図１２】図１０のＸＩＩ−ＸＩＩ線に沿う部分拡大断面図である。
【発明を実施するための形態】
【００１９】
以下、本発明の好ましい実施の形態について、図面を参照して具体的に説明する。
【００２０】
図１、図２は、本発明に係る表示パネル取付セットの一例を示す。本実施形態の表示パネル取付セットＡ１は、ベルトパーティションスタンドに取り付けて使用するものである。図５は、ベルトパーティションスタンドの一例を示す。
【００２１】
図５に示すように、本実施形態のベルトパーティションスタンド１０は、ベース１１と、このベース１１から起立する支柱１２と、支柱１２に連結されるベルト収納ヘッド１３と、パーティションベルト１４と、を備えている。
【００２２】
ベース１１は、床面に載置される部材であり、平面視略円形の板状とされている。支柱１２は、円柱状に形成されている。図示説明は省略するが、支柱１２は、ベース１１に対して、たとえばねじを用いた締結によって着脱可能に接続されている。ベース１１には、一定幅の切欠き１１１が形成されている。この切欠き１１１の幅寸法は、支柱１２の外径よりも少し大とされている。複数のベルトパーティションスタンド１０を収納する際には、支柱１２が別のベルトパーティションスタンド１０の切欠き１１１に嵌り込むようにすると、収納スペースを縮小することができる。
【００２３】
ベルト収納ヘッド１３は、支柱１２の上端に連結されており、円筒状の外形を有している。ベルト収納ヘッド１３の外周直径は支柱１２の外周直径よりも大きくなっている。ベルト収納ヘッド１３の軸方向における長さは、たとえば１５ｃｍ程度とされる。ベルト収納ヘッド１３は、パーティションベルト１４を収容する。なお、ベルト収納ヘッド１３は、支柱１２に対して、たとえばねじ（下端に設けられたねじ軸１３０）を用いた締結によって着脱可能に接続されている（図６参照）。
【００２４】
パーティションベルト１４は、ベルト収納ヘッド１３に設けられたスリット状のベルト導出部１３１を通じてベルト収納ヘッド１３の外部に繰り出し可能とされている。ベルト収納ヘッド１３内部の詳細な図示は省略するが、パーティションベルト１４は、たとえば、その基端部がベルト収納ヘッド１３内に設けられたリールの巻軸に固定され、かつベルト全体がこの巻軸に巻回されており、付勢手段によって巻き取り方向に付勢されている。パーティションベルト１４の先端部には、ベルトエンド１４１が設けられている。ベルトエンド１４１は、概略円柱状とされており、このベルトエンド１４１の下端から上端近傍にかけて横断面略Ｔ字状の溝が形成されている。なお、上記のようなパーティションベルト１４が繰り出し可能に収納される構造自体は、周知の技術（たとえば実用新案登録第３００８７６２号公報に記載の技術）によって実現される。
【００２５】
ベルト収納ヘッド１３の外面には、複数のベルトエンド受け部１３２が設けられている。これらベルトエンド受け部１３２は、上記ベルト導出部１３１に対して周方向に９０°ずつずれた３箇所に位置している。各ベルトエンド受け部１３２は、軸方向に沿って一定長さ延びるようにして横断面略Ｔ字状に形成されており、ベルトエンド１４１に設けられた溝に嵌合可能となっている。ベルトパーティションスタンド１０の使用時には、パーティションベルト１４を繰り出すとともに、当該パーティションベルト１４のベルトエンド１４１の溝に他のベルトパーティションスタンド１０のベルトエンド受け部１３２を嵌合させる。これにより、隣接するベルトパーティションスタンド１０の相互間にパーティションベルト１４を張設することができる。
【００２６】
図１、図２に示すように、表示パネル取付セットＡ１は、表示パネル２０と、取付具３０と、蓋部材４０と、を備える。
【００２７】
本実施形態において、表示パネル２０は、屈曲状につながる４つの平板部２１と、接合部２２とを有する。４つの平板部２１は、各々が高さ方向を長手方向とする長矩形状とされており、隣接相互の各々の長辺どうしが屈曲可能につながっている。本実施形態においては、これら平板部２１のサイズは略同一である。各平板部２１は、案内表示等が描画される表示面２１ａと、表示面２１ａの反対を向く背面２１ｂとを有している。なお、表示面２１ａに直接案内表示等を描画せずに、案内表示等が描画されたシール等を表示面２１ａに貼ってもよい。
【００２８】
本実施形態において、平板部２１（表示パネル２０）の下端寄りの適所には、開口２１１が形成されている。開口２１１は、ベルト収納ヘッド１３を通過させることが可能なサイズとされている。開口２１１の意義については後述する。
【００２９】
接合部２２は、長矩形状とされており、一定方向に並ぶ４つの平板部２１のうち一方の端部に位置するもの長辺につながっている。接合部２２は、当該平板部２１の長辺に沿って屈曲可能である。接合部２２の短辺の長さは、平板部２１の短辺の長さより小さい。接合部２２は、４つの平板部２１のうち他方の端部に位置するものに重ね合わされた状態で当該平板部２１と接合される。
【００３０】
図１、図２に示した表示パネル２０は、内側空間Ｓを有するように展開された姿勢（展開姿勢）とされており、四角筒状（筒状）をなしている。展開姿勢をとる表示パネル２０は、平面視において略正方形状である。
【００３１】
表示パネル２０は、上述のように４つの長矩形状の平板部２１の隣接相互の長辺どうしが屈曲可能につながっている。これにより、表示パネル２０は、図３（ａ）に示した展開姿勢から、図３（ｂ）に示すように４枚の平板部２１における一対の対角が互いに近づく方向に押圧力を加えると（図中矢印Ｆ１参照）、他の一対の対角が互いに遠ざかり（図中矢印Ｆ２参照）、図３（ｃ）に示すように平面的に折り畳むことができる。即ち、表示パネル２０は、図３（ａ）に示した展開姿勢および図３（ｃ）に示した折り畳み姿勢の間で姿勢変更可能である。
【００３２】
本実施形態の表示パネル２０は、たとえばプラスチックダンボール、合成樹脂、あるいは発泡樹脂からなるシート材により構成され、好ましくは、プラスチックダンボール製とされる。表示パネル２０は、たとえば４つの平板部２１と、接合部２２とが一定方向につながるシート材の適所を屈曲させるとともに、接合部２２を平板部２１に重ね合わせて接着剤や粘着シート等により固定することで形成される。
【００３３】
取付具３０は、表示パネル２０をベルトパーティションスタンド１０に取り付けるために用いられるものである。
【００３４】
図１、図２に示すように、本実施形態において、取付具３０は、プレート部３１および４つの延出片３２を有する。プレート部３１は、略正方形形状の平板であり、展開姿勢をとる表示パネル２０の下端開口に対応するサイズとされている。プレート部３１の中央には、厚さ方向に貫通する貫通孔３１１が形成されている。４つの延出片３２は、プレート部３１の４辺それぞれから屈曲状に起立している。プレート部３１および４つの延出片３２を具備する取付具３０は、たとえば金属板を折り曲げて形成されたものである。
【００３５】
図４から理解できるように、４つの延出片３２は、表示パネル２０における４つの平板部２１それぞれの下端に各別に係合している。具体的には、たとえば、展開姿勢をとる表示パネル２０において対向する一対の平板部２１の外面どうしの間の寸法が、対向する一対の延出片３２の内面どうしの間の寸法より僅かに大とされている。そして、延出片３２を平板部２１の外側に嵌めることにより、延出片３２が平板部２１の下端に嵌合する。
【００３６】
図１、図２に示すように、蓋部材４０は、展開姿勢をとる表示パネル２０の上端部に装着されている。蓋部材４０は、表示パネル２０の上端開口に対応するサイズの矩形状の天井板４１と、当該天井板４１において一対の対辺それぞれから下方に延びる一対の取付片４２とを有する。蓋部材４０は、表示パネル２０と同様の材料からなるシート材により構成され、たとえばプラスチックダンボール製である。一対の取付片４２は、対向する一対の平板部２１の上端における背面２１ｂ（内側面）に対して、面ファスナー、接着剤や粘着シート等の適宜手段により固定されている。これにより、蓋部材４０（天井板４１）は、展開姿勢をとる表示パネル２０の上端開口を塞いでいる。
【００３７】
表示パネル取付セットＡ１をベルトパーティションスタンド１０へ取り付ける際、まず、支柱１２に対してねじ接続されたベルト収納ヘッド１３を当該支柱１２から取り外す。次に、図６に示すように、予め表示パネル２０を係合支持させた状態の取付具３０を、支柱１２の上端に配置する。次に、ベルト収納ヘッド１３を、開口２１１を通じて表示パネル２０の内側空間Ｓに移動させ、下端に設けられたねじ軸１３０を支柱１２上端のねじ孔１２１にねじ込む。これにより、図７に示すように、ベルトパーティションスタンド１０への表示パネル取付セットＡ２（表示パネルおよび取付具３０）の取付けが完了する。このとき、同図から理解されるように、プレート部３１は、支柱１２の上端とベルト収納ヘッド１３の下端との間に水平姿勢で挟持される。そして、取付具３０は、ベルト収納ヘッド１３に当接する状態でベルトパーティションスタンド１０に支持されている。また、ベルト収納ヘッド１３は、取付具３０に支持された表示パネルの内側空間Ｓに位置している。そして、図７から理解されるように、表示パネル２０の開口２１１は、水平方向に見てベルト収納ヘッド１３と重なる。ここで、ベルト収納ヘッド１３のベルトエンド１４１は、開口２１１と対向する位置にある。なお、図７においては、理解の便宜上、表示パネル２０および蓋部材４０を仮想線で表している。
【００３８】
次に、本実施形態の作用について説明する。
【００３９】
本実施形態の表示パネル取付セットＡ１において、取付具３０は、ベルト収納ヘッド１３に当接する状態でベルトパーティションスタンド１０に支持されている。表示パネル２０は、内側空間Ｓを有するように筒状とされており、ベルト収納ヘッド１３が内側空間Ｓに位置する姿勢で取付具３０に取り付けられている。このように、取付具３０がベルトパーティションスタンド１０の上端に位置するベルト収納ヘッド１３に当接する状態で支持された構成によれば、取付具３０に支持される表示パネル２０は、床面から離れた比較的に高い位置に配置される。したがって、ベルトパーティションスタンド１０に支持された表示パネル２０については、その視認性が優れる。
【００４０】
また、表示パネル２０は、筒状とされて内側空間Ｓを有しており、この内側空間Ｓにベルト収納ヘッド１３が配置されている。このような構成によれば、上記のように表示パネル２０が高い位置に配置されることに加え、筒状の表示パネル２０の外側面全体（４つの平板部２１における各々の表示面２１ａ）を案内表示等として利用することができる。したがって、表示パネル２０によりベルト収納ヘッド１３を包囲して隠しつつ、周囲の全方位から表示パネル２０の案内表示等を視認することが可能である。
【００４１】
本実施形態において、支柱１２の上端にベルト収納ヘッド１３が着脱可能にねじ接続されており、プレート部３１（取付具３０）は、支柱１２の上端とベルト収納ヘッド１３の下端との間に挟持される。このような構成によれば、取付具３０はベルトパーティションスタンド１０に的確に固定されており、表示パネル２０を安定的に支持するのに適する。
【００４２】
表示パネル２０は、水平方向に見てベルト収納ヘッド１３と重なる位置に形成された開口２１１を有する。このような構成によれば、開口２１１を通じてベルト収納ヘッド１３から繰り出されるパーティションベルト１４について、開口２１１を介して内側空間Ｓと外側とで行き来させることが可能である。このため、表示パネル２０が取り付けられたベルトパーティションスタンド１０についても、隣接するベルトパーティションスタンド１０との間でパーティションベルト１４を張設することができる。また、本実施形態においては、表示パネル取付セットＡ１をベルトパーティションスタンド１０へ取り付ける際、ベルト収納ヘッド１３を、開口２１１を介して内側空間Ｓに移動させることが可能である。したがって、表示パネル取付セットＡ１の取り付け作業を容易に行うことができる。
【００４３】
表示パネル２０は、たとえばプラスチックダンボールなどの軽量な材質からなる。このような構成によれば、比較的高い位置に配置される表示パネル２０を含めたベルトパーティションスタンド１０全体について、重心が高くなることを回避することができるので、表示パネル２０の取付状態が安定する。また、表示パネル２０がたとえばプラスチックダンボールなどの軽量な材質からなる構成によれば、取り扱いが容易であり、製造コストの削減にも資する。
【００４４】
表示パネル２０は、平面的に折り畳まれた折り畳み姿勢、および内側空間Ｓを有するように展開された展開姿勢、の間で姿勢変更可能である。このような構成によれば、表示パネル２０を運送する時や使用しない時には、表示パネル２０を折り畳むことで運送時・収納時の省スペース化を図ることができる。
【００４５】
本実施形態において、表示パネル２０の上端には蓋部材４０が装着されている。蓋部材４０は、表示パネル２０の内側空間Ｓに配置されるとともに表示パネル２０の上端開口を塞ぐ。このような構成によれば、展開姿勢をとる表示パネル２０について、当該展開姿勢が安定して維持される。
【００４６】
図８〜図１１は、本発明に係る表示パネル取付セットの他の例を示している。これらの図においては、上記実施形態と同一または類似の要素には、同一の符号を付しており、適宜説明を省略する。
【００４７】
図８、図９に示す表示パネル取付セットＡ２は、表示パネル２０と、取付具３０と、を備え、ベルトパーティションスタンド１０に取り付けて使用するものである。本実施形態においては、取付具３０の具体的構成が上記実施形態の表示パネル取付セットＡ１と異なっている。ただし、表示パネル２０の構成については、上記実施形態と実質的に同一である。なお、本実施形態においては、蓋部材４０を具備していない。
【００４８】
本実施形態において、取付具３０は、上端プレート部３３および一対の延出片３４を有する。上端プレート部３３は、略正方形形状の平板であり、展開姿勢をとる表示パネル２０の平面視寸法に対応するサイズとされている。上端プレート部３３は、たとえば接着やねじ止め等の適宜手段により、ベルト収納ヘッド１３の上端に取り付けられている。一対の延出片３４は、上端プレート部３３の周縁（一対の対辺それぞれ）から屈曲状に起立しており、上端プレート部３３に対して実質的に垂直方向に延びている。上端プレート部３３および一対の延出片３４を具備する取付具３０は、表示パネル２０と同様の材料からなるシート材により構成され、たとえばプラスチックダンボール製である。
【００４９】
表示パネル取付セットＡ２をベルトパーティションスタンド１０へ取り付ける際、まず、図８に示すように、上端プレート部３３をベルト収納ヘッド１３の上端に取り付ける。次に、展開姿勢をとる表示パネル２０を、ベルトパーティションスタンド１０の上方から下降させて、ベルト収納ヘッド１３および取付具３０が表示パネル２０の内側空間Ｓに位置する所定の高さで止める（図９参照）。次いで、一対の延出片３４の外側面を、対向する一対の平板部２１における背面２１ｂ（内側面）に対して、面ファスナー、接着剤や粘着シート等の適宜手段により固定する。これにより、図９に示すように、ベルトパーティションスタンド１０への表示パネル取付セットＡ２（表示パネルおよび取付具３０）の取付けが完了する。このとき、図９から理解されるように、表示パネル２０の開口２１１は、水平方向に見てベルト収納ヘッド１３と重なる。ここで、ベルト収納ヘッド１３のベルトエンド１４１は、開口２１１と対向する位置にある。
【００５０】
本実施形態の表示パネル取付セットＡ２において、取付具３０は、ベルト収納ヘッド１３に当接する状態でベルトパーティションスタンド１０に支持されている。表示パネル２０は、内側空間Ｓを有するように筒状とされており、ベルト収納ヘッド１３が内側空間Ｓに位置する姿勢で取付具３０に取り付けられている。このように、取付具３０がベルトパーティションスタンド１０の上端に位置するベルト収納ヘッド１３に当接する状態で支持された構成によれば、取付具３０に支持される表示パネル２０は、床面から離れた比較的に高い位置に配置される。したがって、ベルトパーティションスタンド１０に支持された表示パネル２０については、その視認性が優れる。
【００５１】
また、表示パネル２０は、筒状とされて内側空間Ｓを有しており、この内側空間Ｓにベルト収納ヘッド１３が配置されている。このような構成によれば、上記のように表示パネル２０が高い位置に配置されることに加え、筒状の表示パネル２０の外側面全体（４つの平板部２１における各々の表示面２１ａ）を案内表示等として利用することができる。したがって、表示パネル２０によりベルト収納ヘッド１３を包囲して隠しつつ、周囲の全方位から表示パネル２０の案内表示等を視認することが可能である。
【００５２】
表示パネル２０は、水平方向に見てベルト収納ヘッド１３と重なる位置に形成された開口２１１を有する。このような構成によれば、開口２１１を通じてベルト収納ヘッド１３から繰り出されるパーティションベルト１４について、開口２１１を介して内側空間Ｓと外側とで行き来させることが可能である。このため、表示パネル２０が取り付けられたベルトパーティションスタンド１０についても、隣接するベルトパーティションスタンド１０との間でパーティションベルト１４を張設することができる。
【００５３】
表示パネル２０は、たとえばプラスチックダンボールなどの軽量な材質からなる。このような構成によれば、比較的高い位置に配置される表示パネル２０を含めたベルトパーティションスタンド１０全体について、重心が高くなることを回避することができるので、表示パネル２０の取付状態が安定する。また、表示パネル２０がたとえばプラスチックダンボールなどの軽量な材質からなる構成によれば、取り扱いが容易であり、製造コストの削減にも資する。
【００５４】
表示パネル２０は、平面的に折り畳まれた折り畳み姿勢、および内側空間Ｓを有するように展開された展開姿勢、の間で姿勢変更可能である。このような構成によれば、表示パネル２０を運送する時や使用しない時には、表示パネル２０を折り畳むことで運送時・収納時の省スペース化を図ることができる。
【００５５】
本実施形態において、取付具３０は、ベルト収納ヘッド１３の上端に取り付けられる上端プレート部３３と、当該上端プレート部３３の周縁から屈曲して実質的に垂直方向に延びる延出片３４と、を有する。そして、平板部２１の背面２１ｂ（表示パネル２０の内側面）は、延出片３４の外側面に取り付けられている。このような構成によれば、展開姿勢をとる表示パネル２０について、当該展開姿勢が安定して維持される。
【００５６】
図１０、図１１に示す表示パネル取付セットＡ３は、表示パネル２０と、取付具３０と、を備え、ベルトパーティションスタンド１０に取り付けて使用するものである。本実施形態においては、取付具３０の具体的構成が上記実施形態の表示パネル取付セットＡ１と異なっている。ただし、表示パネル２０の構成については、上記実施形態と実質的に同一である。なお、本実施形態においては、蓋部材４０を具備していない。
【００５７】
本実施形態の表示パネル取付セットＡ３は、一対（２つ）の取付具３０を備えている。当該取付具３０は、ベルト収納ヘッド１３のベルトエンド受け部１３２を利用して取り付けることが可能とされている。本実施形態において、取付具３０は、基部３５、係合溝３６（凹部）、および垂直プレート部３７を有する。
【００５８】
基部３５は、一定方向（図中上下方向）に延びるブロック状とされている。係合溝３６は、基部３５が延びる方向（図中上下方向）に沿って形成されている。図１２に示すように、係合溝３６は、横断面略Ｔ字状とされており、ベルトパーティションスタンド１０のベルトエンド受け部１３２が嵌合可能となっている。係合溝３６は、基部３５の下端から上端付近に至る範囲に形成されている。係合溝３６は、基部３５の下端側において開放する一方、上端側が閉じている。
【００５９】
垂直プレート部３７は、基部３５を挟んで係合溝３６とは反対側に設けられている。図１０、図１２に示すように、垂直プレート部３７は、垂直方向に略沿う板状であり、外側を向く面３７ａがフラットな平面とされている。本実施形態において、取付具３０は、たとえば所定の強度を有する合成樹脂により一体形成されている。
【００６０】
表示パネル取付セットＡ３をベルトパーティションスタンド１０へ取り付ける際、まず、図１０に示すように、取付具３０をベルト収納ヘッド１３に取り付ける。ベルト収納ヘッド１３への取付具３０の取り付けは、取付具３０の係合溝３６にベルト収納ヘッド１３のベルトエンド受け部１３２が嵌まるように、当該取付具３０を下方にスライドさせることにより行う。ここで、一対の取付具３０は、ベルト収納ヘッド１３に設けられた３つのベルトエンド受け部１３２のうち、周方向において１８０°ずれた２つのベルトエンド受け部１３２により、嵌合支持される。次に、展開姿勢をとる表示パネル２０を、ベルトパーティションスタンド１０の上方から下降させて、ベルト収納ヘッド１３および取付具３０が表示パネル２０の内側空間Ｓに位置する所定の高さで止める（図１１参照）。次いで、一対の取付具３０における各垂直プレート部３７の外側を向く面３７ａを、対向する一対の平板部２１における背面２１ｂ（内側面）に対して、面ファスナー、接着剤や粘着シート等の適宜手段により固定する。これにより、図１１に示すように、ベルトパーティションスタンド１０への表示パネル取付セットＡ３（表示パネルおよび取付具３０）の取付けが完了する。このとき、図１１から理解されるように、表示パネル２０の開口２１１は、水平方向に見てベルト収納ヘッド１３と重なる。ここで、ベルト収納ヘッド１３のベルトエンド１４１は、開口２１１と対向する位置にある。
【００６１】
本実施形態の表示パネル取付セットＡ３において、取付具３０は、ベルト収納ヘッド１３に当接する状態でベルトパーティションスタンド１０に支持されている。表示パネル２０は、内側空間Ｓを有するように筒状とされており、ベルト収納ヘッド１３が内側空間Ｓに位置する姿勢で取付具３０に取り付けられている。このように、取付具３０がベルトパーティションスタンド１０の上端に位置するベルト収納ヘッド１３に当接する状態で支持された構成によれば、取付具３０に支持される表示パネル２０は、床面から離れた比較的に高い位置に配置される。したがって、ベルトパーティションスタンド１０に支持された表示パネル２０については、その視認性が優れる。
【００６２】
また、表示パネル２０は、筒状とされて内側空間Ｓを有しており、この内側空間Ｓにベルト収納ヘッド１３が配置されている。このような構成によれば、上記のように表示パネル２０が高い位置に配置されることに加え、筒状の表示パネル２０の外側面全体（４つの平板部２１における各々の表示面２１ａ）を案内表示等として利用することができる。したがって、表示パネル２０によりベルト収納ヘッド１３を包囲して隠しつつ、周囲の全方位から表示パネル２０の案内表示等を視認することが可能である。
【００６３】
表示パネル２０は、水平方向に見てベルト収納ヘッド１３と重なる位置に形成された開口２１１を有する。このような構成によれば、開口２１１を通じてベルト収納ヘッド１３から繰り出されるパーティションベルト１４について、開口２１１を介して内側空間Ｓと外側とで行き来させることが可能である。このため、表示パネル２０が取り付けられたベルトパーティションスタンド１０についても、隣接するベルトパーティションスタンド１０との間でパーティションベルト１４を張設することができる。
【００６４】
表示パネル２０は、たとえばプラスチックダンボールなどの軽量な材質からなる。このような構成によれば、比較的高い位置に配置される表示パネル２０を含めたベルトパーティションスタンド１０全体について、重心が高くなることを回避することができるので、表示パネル２０の取付状態が安定する。また、表示パネル２０がたとえばプラスチックダンボールなどの軽量な材質からなる構成によれば、取り扱いが容易であり、製造コストの削減にも資する。
【００６５】
表示パネル２０は、平面的に折り畳まれた折り畳み姿勢、および内側空間Ｓを有するように展開された展開姿勢、の間で姿勢変更可能である。このような構成によれば、表示パネル２０を運送する時や使用しない時には、表示パネル２０を折り畳むことで運送時・収納時の省スペース化を図ることができる。
【００６６】
本実施形態において、取付具３０は、ベルト収納ヘッド１３のベルトエンド受け部１３２に嵌合可能な係合溝３６（凹部）と、実質的に垂直方向に延びる垂直プレート部３７と、を有する。そして、平板部２１の背面２１ｂ（表示パネル２０の内側面）は、垂直プレート部３７の外側を向く面３７ａに取り付けられている。このような構成によれば、展開姿勢をとる表示パネル２０について、当該展開姿勢が安定して維持される。
【００６７】
以上、本発明の具体的な実施形態を説明したが、本発明はこれに限定されるものではなく、発明の思想から逸脱しない範囲内で種々な変更が可能である。本発明に係る表示パネル取付セットの各部の具体的な構成は、種々に設計変更自在である。
【００６８】
上記実施形態においては、表示パネル２０が四角筒状をなす場合について説明したが、これに限定されず、表示パネルは、たとえば三角筒状や五角筒状など他の角数の筒状であってもよい。表示パネルが奇数角の筒状である場合、表示パネルは奇数個の平板部を有するが、そのうちの１つの平板部については短手方向の中央において屈曲可能にしておけば、表示パネルを平面的に折り畳むことが可能である。
【符号の説明】
【００６９】
Ａ１，Ａ２，Ａ３    表示パネル取付セット
Ｓ          内側空間
１０        ベルトパーティションスタンド
１１        ベース
１１１      切欠き
１２        支柱
１２１      ねじ孔
１３        ベルト収納ヘッド
１３０      ねじ軸
１３１      ベルト導出部
１３２      ベルトエンド受け部
１４        パーティションベルト
１４１      ベルトエンド
２０        表示パネル
２１        平板部
２１ａ      表示面
２１ｂ      背面（内側面）
２１１      開口
２２        接合部
３０        取付具
３１        プレート部
３１１      貫通孔
３２        延出片
３３        上端プレート部
３４        延出片
３５        基部
３６        係合溝（凹部）
３７        垂直プレート部
４０        蓋部材
４１        天井板
４２        取付片
【図１】
2018100520.tif 000003
【図２】
2018100520.tif 000004
【図３】
2018100520.tif 000005
【図４】
2018100520.tif 000006
【図５】
2018100520.tif 000007
【図６】
2018100520.tif 000008
【図７】
2018100520.tif 000009
【図８】
2018100520.tif 000010
【図９】
2018100520.tif 000011
【図１０】
2018100520.tif 000012
【図１１】
2018100520.tif 000013
【図１２】
2018100520.tif 000014